(57)【要約】      （修正有）【課題】切土斜面に法枠を構築し地盤アンカーにより圧着し法面の崩壊防止工事を図り、法面保護（法面緑化等）を施工する以前の施工期間内に、切土斜面が降雨や凍上等により侵食され法枠底面に隙間を生じるのを防止する法枠工法を提供する。【解決手段】切土斜面４を形成後に直ちに土砂流出防止シート１を敷設しラス張金網２で覆い、切土斜面の降雨や凍上等による侵食の防止を図り、その後に法枠工６のコンクリート打設、養生、削孔１０、アンカー８挿入、アンカー緊張作業等を降雨や凍上による法面浸食の影響を受けずに法枠作業を進めることのできる法枠底面の地盤斜面浸食防止工法。【選択図】図１
2013044222.tif 000002
【特許請求の範囲】
【請求項１】
アンカー法枠工法による斜面の崩壊防止工事の施工にあたり、切土法面に土砂流出防止シートを敷設しラス張り金網で覆いアンカーピンにより固定して、アンカー法枠工等の施工が終了するまでの期間の切土法面の浸食防止を目的としたことを特徴とする法枠底面の地盤斜面浸食防止工法。
【請求項２】
土砂流出防止シート面に孔や網目を設けて法枠の現場打ちコンクリート打設時にコンクリートモルタルが地盤斜面に流出して付着硬化し、法枠と一体になることを特徴とした請求項１記載の法枠底面の地盤斜面浸食防止工法。
【請求項３】
土砂流出防止シート面の孔や網目の大きさを切土法面の土粒子の大きさに合わせ選択することのできることを特徴とした請求項１、２のいずれか１項に記載の法枠底面の地盤斜面浸食防止工法。
【請求項４】
土砂流出防止シートを法枠と法枠内に敷設し法面緑化の下地保護工法に活用した請求項１記載の法枠底面の地盤斜面浸食防止工法。
【発明の詳細な説明】
【技術分野】
【０００１】  本発明は、アンカー法枠工の施工期間に切土法面が凍結融解や降雨等により浸食されることを防止することに関わる法枠底面の地盤斜面浸食防止工法に関する。
【背景技術】
【０００２】  これまでの切土法面におけるコンクリート法枠等の施工期間は、法面を切土してからアンカーの緊張を図り法枠による地盤の締め付け作業を終了し、法面保護工（緑化等）を施すまでには標準工期として六カ月ほどの月日を要しており、この期間の大雨や凍上等の自然現象により切土法面は侵食を受け凹凸面状となる。主な要因としては法面を切土してから法面保護工（緑化等）を施すまでに、下記の施工を完了する必要性があり時間が長引くことが挙げられる。【０００３】▲１▼切土法面をラス張の金網で覆う、▲２▼その後に法枠の鉄筋組み立て、▲３▼法枠のコンクリート打設、▲４▼コンクリート養生期間、▲５▼次にアンカー挿入用の削孔、▲６▼グラウト注入、▲７▼そしてアンカーの挿入、▲８▼グラウトの養生期間、▲９▼アンカーの緊張作業等。
この作業期間内に切土法面の浸食が進み、法枠底面と地盤斜面に隙間が生じアンカーの引張力で地盤を締付ける役割機能が大きく減少する状態となる。このようなことから図２の様に侵食を受けた場合にはコンクリート法枠底面と地盤斜面の間に隙間ｈが発生し間詰コンクリートで補修が必要となり多くの労力を費やすることとなる。【０００４】  従来の法枠による法面保護工法としては特許文献１「補強筋法面工法」に示されるものが提案されている。この技術は、法面地盤に地中アンカーを所定間隔で打設して、打設した法面に植生シートと保護ネットを重ねて敷設し、フレーム状の連接部材をアンカー引張部材間に縦横に配置し連接部材をアンカー引張部材に連結し連接部材を締着し、保護ネット及び植生シートを法面に固定して植生させることを特徴とし、安価で且つ短い工期で容易に施工でき、植生シートと保護ネットで表土の崩落と流出を防止して植生を良好にすることができるとしている。【０００５】  このような断面構造であることから、アンカーには地盤の締付け効果を期待しておらず、フレーム状の連結部材を連結する程度の断面構造となっており、この法面保護工法は切土法面の緑化が目的であり法枠底面と地盤面の間に、種子を付着した厚みを有した植生シートを敷設し法枠の形状幅の小さい鋼材から成りアンカー、抑え金具等の規模からみて、斜面の地すべり面を想定した法枠の断面構造ではなく比較的法面全体が安定している現場状況の中での法面の緩み、抜け落ち防止及び緑化対策を主体にした法面保護工法である。従ってアンカー用コンクリート法枠工の様に法枠底面と法面地盤を密着させてアンカー力を地盤に伝達しスベリ層を締付けるような機能は無くアンカー法枠工法等の断面構造とはなっていない。
【先行技術文献】
【特許文献】
【０００６】
【特許文献】特許第４１５７５４８号「補強筋法面工法」
【発明の概要】
【発明が解決しようとする課題】
【０００７】  法枠幅の広いコンクリート法枠工法等は、法枠底面と地盤斜面をアンカーの引張力で密着を図りスベリ層の弱層を締付ける断面構造であることから、植栽マットのような植栽の繁殖に必要な厚みを要する軟弱なシートを切土法面に敷設しては、アンカー工の機能を低下させるばかりでなく、法枠断面幅の広いコンクリート法枠工では植栽マット等をコンクリート法枠底面に敷設すると、高価な植栽マットが露出する面積が少なく、植栽マットの効果も減少することにつながり、不経済な植栽マットの敷設状況となる。このようなことからこれまでは現場打ちコンクリート等の法枠や二次製品の受圧板等によるアンカー工の切土法面の浸食対策は、各工種の施工作業の迅速化に努め工期縮減を主体とした方法で対応している。
本発明が解決しようとする課題は、従来のこれらの問題点を解消し、法面の保護等の緑化施工を実施するまでの施工期間について、経済性がよく容易な施工法で降雨や凍上による法面浸食防止を図る法枠底面の地盤斜面の浸食防止工法を提供することを目的としている。
【課題を解決するための手段】
【０００８】  本発明の要旨を施工順を追って説明する。
１）切土法面や地盤斜面４を形成すると同時に地盤斜面の浸食防止用の土砂流出防止用シート１を敷設してラス張り金網２で覆い、アンカーピン５を斜面勾配等に応じた間隔により設定し、法枠工の法枠底面下の地盤斜面の浸食防止工法を形成する。
２）コンクリート法枠等の配置を土砂流出防止用シート１面に原寸大で製図することが可能となり、縦寸法６ｂ、横寸法６ａをマークして法枠幅Ｗを確保しアンカー８の位置を設定する。
３）土砂流出防止用シート１面に製図された寸法図に従い型枠９等を設置し、鉄筋７を組み立て加工する。
４）型枠９等内にアンカー削孔用の孔１０を確保し法枠用のコンクリートを打設し土砂流出防止用シート１とラス張り金網２を一体とした法枠高さＨを構成する。
５）法枠のコンクリート硬化後に削孔１０の作業を図りアンカー８を挿入しグラウト１１により固定する。
６）グラウト１１の硬化後にアンカー８の緊張を施し完了する。
７）なお法枠やアンカー工が完了後に（６ａ×６ｂ範囲の法枠幅Ｗを除いた部分）に法面緑化やモルタル吹きつけを実施する場合には、現場に応じ厚層基材等をラス張の金網に吹付け、或いはモルタル吹き付けを実施することが可能となる。【０００９】  土砂流出防止シート１の敷設の目的は切土法面の浸食防止であり断面形状は透水性を有し凍上を緩和し、及法枠底面以外の法面には植物等の根毛が通り、又は法面地盤に散布した種子が発芽し葉が通り抜け成長できる孔や網目を有した断面構造を形成した材質から成なる。仮に切土法面を孔や網目の無く透水性の無いビニールシートにより敷設した場合には、降雨や凍上だけを考慮した場合には最良の材質であるが、法枠底面と法面地盤を分離し摩擦係数を軽減してしまい法枠がスベリ安くなり、また軟弱地盤内からの湧水があった場合に湧水をシート表面に出すことが困難となりシート裏面の切土法面を流れ、シートが切土法面と密着していた場合は湧水による水溜りや水圧が発生し水通りが形成され法面が浸食され危険な状態となる。【００１０】  次に切土法面が浸食される要因を図６・７で説明する。
シートに孔や網目を形成した土砂流出防止シート１を切土法面に密着すれば降雨は地盤に浸透するが土砂流出防止シート１の厚さ１Ｈにより地表面の雨水の流速は阻害されることになる。図６の場合には網目間隔１ａが大きいことから比較的に流水Ｖｂは早く、地盤表面の土粒子が小さければ流出することにつながる。これに対し図７における土砂流出防止シート１の網目間隔１ｂは土砂流出防止シート１の厚さ１Ｈと同程度の間隔であることから流速Ｖｃは阻害され流れはＶｂより減速し土粒子が小さな場合でも流出を防止することとなる。【００１１】  土砂流出防止シート１の孔や網目の大きさは土質の粒形にもよるがこれまでの実験経過より１ｍｍ〜２ｍｍ程度が望ましい。またこの程度の孔や網目の形状であれば植栽の根毛も入り込み、または地盤表面に散布した場合の種子３が発芽し葉が伸び出ることが可能となる。また冬期における凍上現象等による霜柱の予防に当たってはシートの孔や網目が１ｍｍ〜２ｍｍ程度であると地表面の水蒸気の蒸発が氷り付き目詰まり状態となり寒気が地盤斜面に直接触れることはなく保温効果を保つことができる。またコンクリート打設時にはモルタルが透過し地盤斜面と密着可能な状態となる。なお土砂流出防止シート１の材質の厚さは地盤の土粒子の形状にもよるが１ｍｍ〜２ｍｍ程度する。【００１２】  このような断面構造であれば急斜面でも降雨による地盤斜面の表面を流れる流速はシートの孔や網目の厚さに阻害され遅くなり主な流水はシート表面より上面を主体に流下することになり地盤表面の土粒子の流出を防止することにつながる。なお、ラス張の金網等の網目等（網目２ａ×２ｂ＝５０ｍｍ×５０ｍｍ程度）の大きさで金網の鋼線太さ（２ｍｍ〜５ｍｍ程度）とすることから、網目と鋼線の太さの比が１０倍以上となり、土砂流出防止シート１を切土法面に敷設しなければ、ラス張の金網等では地盤斜面は流水にさらされ侵食されることにつながる。
なお、土砂流出防止シート１の厚さ１Ｈが１０ｍｍ程度以上になると水圧が上昇し土砂流出防止シート１の下を流れ地盤斜面を侵食することにつながることから土砂流出防止シート１の厚さや太さ１Ｈは１ｍｍ〜２ｍｍ前後とする。【００１３】  このようにアンカー法枠工における切土法面は、土砂流出防止シート１を敷設しなければ４〜６カ月間も放置されることになり、降雨や凍上等による法枠底面の地盤斜面の浸食が進み、アンカー法枠工法の機能が大きく損なわれることにつながる。
【発明の効果】
【００１４】  アンカー法枠工法等による施工期間は、切土法面を形成してから法枠内の緑化やセメント吹付け等により法面全体を保護するまでの施工期間が長いことから、この期間内に大雨や凍上等により侵食されることが多く、法枠工等の下地保護処理が必要としている。本発明はこの期間内の切土法面の浸食防止を経済的で施工性のよい土砂流出防止シート１で被覆することにより対応するものである。【００１５】  特に切土法面が凹面上の場合には降雨が集積して切土法面を流下し、法枠底面の洗掘がみられ法面に深堀が生じ、復旧工事等は困難を極め多大な費用となっている。このようなことから切土法面に土砂流出防止シート１を早期に敷設することはアンカー法枠の安全対策にもつながり現場管理も容易な工法となる。
【図面の簡単な説明】
【００１６】
【図１】本発明のアンカー法枠工の説明断面図で、切土法面４に土砂流出防止シートを敷設しラス張金網２により覆いこの上にコンクリート法枠幅Ｗ、高さＨを構成しアンカー８によりコンクリート法枠工を地盤斜面に固定している状況を現している断面図である。
【図２】これまでのアンカー法枠工の断面図で、土砂流出防止シート１が無いことから、まだ緑化工等による法面の工事が実施されないまでの施工期間に降雨や凍上により地盤斜面が洗掘されて法枠底面と地盤斜面の間に隙間ｈが発生した状況を現した事例である。
【図３】図１に明示した断面構造を平面的に見て縮小し切土法面に配置した場合の実施で法枠間隔等をそれぞれ横幅６ａ、縦幅６ｂとして現しており寸法はそれぞれ１ｍ〜３ｍ範囲である。
【図４】図３に明示した横幅６ａ、縦幅６ｂ範囲内の拡大平面図でラス張金網を横幅２ａ、縦幅２ｂとして現しており寸法はそれぞれ３０ｍｍ〜５０ｍｍ程度の範囲である。
【図５】図４のａ〜ａ位置の断面図を現しており、ラス張金網の太さ２Ｈは２ｍｍ〜５ｍｍ程度の範囲である。
【図６】降雨があり地盤斜面４を雨水が流れ水面９となって流下する状況を現しており、図５断面図の２ａ範囲の拡大断面図で、水面９の上部の流れをＶａのベクトルで現しており、水位下部のＶｂは土砂流出防止シート１の網目間隔１ａが、厚さ１Ｈの５倍程度以上の間隔の場合の流れを現しており、網目間隔１ａは１０ｍｍ程度を現し、地盤斜面の土粒子が小さい場合には洗掘され浸食の心配のある状況を現している。
【図７】図６と同様の図面であるが、地盤斜面の粒子が小さく流水による浸食の恐れがあることから土砂流出防止シート１の網目間隔１ａが厚さ１Ｈの１倍程度以上の間隔の場合の断面構造を現しており、流水Ｖｃが遅い流れを現しており、網目間隔１ｂは２ｍｍ程度を現しており標準的な実施例である。またこのような網目形状であると切土法面に散布した植物の種子３は網目内に定着しやすい状況となる。
【図８】切土法面の全体的な横断面図を現しており、切土法面に本発明を施した法枠底面の地盤斜面浸食防止工法の実施例を現している。
【発明を実施するための形態】
【００１７】  法面保護工法等には緑化を主体にした多くのシートやマット等が開発されているが、法枠工を構成しアンカー工により斜面を安定するまでの施工期間の切土法面の保護等はこれまで大雨や降雪等について天気予報等により日ごと判断し仮設用のビニールシート等により工事区間を覆う作業をしているが、強風等により飛ばされること等から、また日ごとの取り外し覆い作業が大変な作業となっている。このような中で土砂流出防止シート１を地盤斜面に敷設しラス張金網で覆い本工事の中で対応することから、仮設用の覆いシートを日ごとの取り外し覆い作業が省略され作業効率が向上し、地盤斜面が安定し安全管理も向上する工法につながる。
【実施例】
【００１８】  図中の１は本発明の主体となる土砂流出防止用シートであり、材質は合成樹脂のシートや麻シート等の織物からなる。２はラス張りで材質は合成樹脂や鋼線から成る網で土砂流出防止用シート１を敷設後に直ちに覆う工法とする。３は植物の種子で切土法面が比較的柔らかい場合には土砂流出防止用シート１の敷設前に、又は敷設後に散布し緑化にそなえる。４は切土法面や法枠底面下の地盤斜面を現している。５はアンカーピンでラス張り金網２を敷設後に固定するアンカーで鋼棒から成り太さや長さは切土法面の土質に合わせた形状としハンマー等により打ち込む。６は法枠で現場打ち込みの場合の材質はコンクリートであるが、独立した受圧板においてはコンクリートや鋼材からなる材質でもよい。７は法枠内の鉄筋。８は法枠を固定し地盤を締付けるアンカーで長さは地盤の土質により設定する。なお１２はアンカー機能を促進させる収縮装置である。【００１９】  土砂流出防止用シート１の敷設の目的や断面構造は下記内容となっている。
アンカーにより法枠底面を地盤斜面と密着し地盤を締付ける必要があることから、土砂流出防止用シート１はこのような目的を阻害しない断面構造が求められ、また法枠内の浸食防止も兼ねた断面構造が必要なことから、薄くて地盤になじみが良く透水性がよく、土砂の粒子が降雨等により流出しない程の孔や網目や厚さで構成し麻シート等に類似のシートで有ればよく材質は問わない。また法面に緑化が必要な場合には植物の根毛が土砂流出防止用シート１の孔や網目を通じ地盤に密着して巻き付き、或いは土砂流出防止用シート１を敷設する前に切土法面に植物の種子３等を散布すれば、シートの孔や網目１ａより芽を出し成長することにつながる。また積雪地方においては厚層基材等に繁殖した緑化は斜面積雪層のスベリにより植栽が根こそぎ抜き取られる被害が多いが、本発明の場合にはラス張の下の土砂流出防止用シート１に繁殖した緑化の根が絡んで残ることから、ラス張が積雪層のスベリに抵抗しすることから雪害は少なく翌年の春には繁殖が確認されている。【００２０】  またラス張り金網は急斜面の現場においては年月が経過すると腐食し抜け落ちることがみられることから法枠と同程度の耐用年数を確保するため防食に強い材質で有ればよく亜鉛メッキの金網でも合成樹脂の網でもよく、網目の寸法２ａ及び２ｂはそれぞれ現場の土質や斜面勾配を考慮し設定する。
【符号の説明】
【００２１】１    土砂流出防止用シート、網目を構成した織物、麻シート
１ａ  土砂流出防止用シート１の大きな網目
１ｂ  土砂流出防止用シート１の小さな網目
１Ｈ  土砂流出防止用シート１シートの厚さ、網の線の太さ
２    ラス張金網、合成樹脂メッシュ
２ａ  ラス張金網の横の網目
２ｂ  ラス張金網の縦の網目
３    植物の種子
４    切土法面、地盤斜面
５    アンカーピン
６    コンクリート法枠、二次製品の受圧板
６ａ  法枠の横の間隔
６ｂ  法枠の縦の間隔
Ｈ    法枠の高さ
Ｗ    法枠の幅
７    鉄筋
８    アンカー
９    型枠
１０  削孔
１１  グラウト
１２  アンカーの収縮装置
【図１】
2013044222.tif 000003
【図２】
2013044222.tif 000004
【図３】
2013044222.tif 000005
【図４】
2013044222.tif 000006
【図５】
2013044222.tif 000007
【図６】
2013044222.tif 000008
【図７】
2013044222.tif 000009
【図８】
2013044222.tif 000010